(57)【要約】【課題】容器全体のサイズがコンパクトで、仕上げ用の化粧料塗布具が使いやすい化粧料容器を提供すること。【解決手段】液状の化粧料を収容するようにした容器本体１０と、容器本体１０の口部１０Ａに着脱可能に取り付けられる蓋体２と、蓋体２を容器本体１０の口部１０Ａに装着したときに容器本体１０内に収納される蓋体２に配設した化粧料塗布具３とを備え、蓋体２の化粧料塗布具３を備えた側の反対側に筒状部２０を形成するとともに、筒状部２０の口部２０Ａに着脱可能に取り付けられる嵌着部４１、４２を両側に形成した第２の蓋体４と、第２の蓋体４を一方の嵌着部４１を介して筒状部２０の口部２０Ａに装着したときに筒状部２０内に収納される第２の蓋体４に配設した第２の化粧料塗布具５とを備える。【選択図】図１
0003175646.tif 000002
【実用新案登録請求の範囲】
【請求項１】
液状の化粧料を収容するようにした容器本体と、該容器本体の口部に着脱可能に取り付けられる蓋体と、該蓋体を容器本体の口部に装着したときに容器本体内に収納される前記蓋体に配設した化粧料塗布具とを備えてなる化粧料容器において、前記蓋体の化粧料塗布具を備えた側の反対側に筒状部を形成するとともに、該筒状部の口部に着脱可能に取り付けられる嵌着部を両側に形成した第２の蓋体と、該第２の蓋体を一方の嵌着部を介して前記筒状部の口部に装着したときに筒状部内に収納される第２の蓋体に配設した第２の化粧料塗布具とを備えてなることを特徴とする化粧料容器。
【請求項２】
前記第２の蓋体の一方の嵌着部の断面積より、他方の嵌着部の断面積を大きく、かつ、該他方の嵌着部の端面を接地可能に形成したことを特徴とする請求項１記載の化粧料容器。
【考案の詳細な説明】
【技術分野】
【０００１】
本考案は、化粧料容器に関し、特に、化粧料塗布具を備えた化粧料容器の改良に関するものである。
【背景技術】
【０００２】
従来、液状の化粧料、例えば、マスカラやリップグロス等を収容するようにした化粧料容器として、化粧料を収容する容器本体と、この容器本体の口部に着脱可能に取り付けられる蓋体と、蓋体を容器本体の口部に装着したときに容器本体内に収納される化粧料塗布具とを備えたものが提案されている（例えば、特許文献１〜２参照。）。
この化粧料容器が備えている化粧料塗布具は、例えば、ブラシ状の部材であって、化粧料の塗布と仕上げとに兼用して用いられている。
しかし、このような化粧料容器で、化粧料を十分に、かつ、綺麗に塗布するためには、例えば、マスカラの場合では、塗布用ブラシの軸部が取り付けられた蓋体を持って、軸部を中心に回転させながら、塗布用ブラシに付着した化粧料を睫毛に塗布しながら仕上げることが必要であり、熟練者でなければ、化粧料を十分に、かつ、綺麗に塗布することが困難であるという問題があった。
【０００３】
この問題に対処するため、塗布用の化粧料塗布具が配設される蓋体の反対側に仕上げ用の化粧料塗布具が配設された化粧料容器（例えば、特許文献３参照。）や、塗布用の化粧料塗布具が配設される蓋体の反対側に筒状部を形成し、この筒状部に仕上げ用の化粧料塗布具を収納するようにした化粧料容器が提案されている（例えば、特許文献４参照。）。
【０００４】
ところで、塗布用の化粧料塗布具が配設される蓋体の反対側に仕上げ用の化粧料塗布具が配設された化粧料容器では、仕上げ用の化粧料塗布具を収納するために化粧料容器と略同じ長さのキャップが必要となり、化粧料容器全体のサイズが大きくなってしまうとともに、塗布用の化粧料塗布具でマスカラを睫毛に塗布した後に、仕上げ用の化粧料塗布具に持ち替える際に手や衣服を汚してしまうという問題があった。
【０００５】
また、塗布用の化粧料塗布具が配設される蓋体の反対側に筒状部を形成し、この筒状部に仕上げ用の化粧料塗布具を収納するようにした化粧料容器では、仕上げ用の化粧料塗布具を蓋体に形成した筒状部から取り出して使用するものであるが、化粧料容器のサイズを小型化するために、持ち手部分が小さく使い勝手が悪くなるとともに、蓋体から外した仕上げ用の化粧料塗布具を紛失しやすいという問題があった。
【先行技術文献】
【特許文献】
【０００６】
【特許文献１】特開２００４−３２９９４６号公報
【特許文献２】特開２００７−１１７６０２号公報
【特許文献３】実開昭６２−１７５７１５号公報
【特許文献４】特開平８−３１７８１６号公報
【考案の概要】
【考案が解決しようとする課題】
【０００７】
本考案は、上記従来の化粧料容器の有する問題点に鑑み、容器全体のサイズがコンパクトで、仕上げ用の化粧料塗布具が使いやすい化粧料容器を提供することを第１の目的とする。
さらに、本考案は、化粧料容器を安定して倒立させることができる化粧料容器を提供することを第２の目的とする。
【課題を解決するための手段】
【０００８】
上記第１の目的を達成するため、本考案の化粧料容器は、液状の化粧料を収容するようにした容器本体と、該容器本体の口部に着脱可能に取り付けられる蓋体と、該蓋体を容器本体の口部に装着したときに容器本体内に収納される前記蓋体に配設した化粧料塗布具とを備えてなる化粧料容器において、前記蓋体の化粧料塗布具を備えた側の反対側に筒状部を形成するとともに、該筒状部の口部に着脱可能に取り付けられる嵌着部を両側に形成した第２の蓋体と、該第２の蓋体を一方の嵌着部を介して前記筒状部の口部に装着したときに筒状部内に収納される第２の蓋体に配設した第２の化粧料塗布具とを備えてなることを特徴とする。
【０００９】
さらに、上記第２の目的を達成するため、前記第２の蓋体の一方の嵌着部の断面積より、他方の嵌着部の断面積を大きく、かつ、該他方の嵌着部の端面を接地可能に形成することができる。
【考案の効果】
【００１０】
本考案の化粧料容器によれば、蓋体の化粧料塗布具を備えた側の反対側に筒状部を形成するとともに、該筒状部の口部に着脱可能に取り付けられる嵌着部を両側に形成した第２の蓋体と、該第２の蓋体を一方の嵌着部を介して前記筒状部の口部に装着したときに筒状部内に収納される第２の蓋体に配設した第２の化粧料塗布具とを備えるようにすることにより、容器全体のサイズをコンパクトに収めることができるとともに、第２の蓋体の他方の嵌着部を、蓋体に形成した筒状部の口部に装着することで、仕上げ用となる第２の化粧料塗布具が持ちやすく、かつ、使いやすいものとすることができる。
【００１１】
また、前記第２の蓋体の一方の嵌着部の断面積より、他方の嵌着部の断面積を大きく、かつ、該他方の嵌着部の端面を接地可能に形成することにより、第２の蓋体の一方の嵌着部を介して筒状部の口部に装着した状態のときに（未使用の状態のときに）、第２の蓋体の他方の嵌着部の端面を卓上に接地するようにすることによって、化粧料容器を安定して倒立させることができ、化粧料容器が倒れたり、化粧品を置く化粧台から化粧料容器が転げ落ちることがなく、また、化粧台の上を綺麗に整理することができる。
【図面の簡単な説明】
【００１２】
【図１】本考案の化粧料容器の一実施例を示す正面断面図である。
【図２】同化粧料容器の蓋体、第２の蓋体及び第２の化粧料塗布具を示し、（ａ）は各部が分離した状態を、（ｂ）は第２の蓋体に第２の化粧料塗布具を装着した状態を、（ｃ）は第２の化粧料塗布具を装着した第２の蓋体を、蓋体の筒状部の口部に装着した状態を示す一部を切り欠いた正面断面図である。
【図３】第２の蓋体の他方の嵌着部を、蓋体の筒状部の口部に装着した状態を示す一部切り欠いた正面図である。
【図４】同化粧料容器を倒立させた状態を示す斜視図である。
【図５】第２の蓋体に、別の第２の化粧料塗布具を配設した例を示し、（ａ）はマスカラブラシを、（ｂ）はリップブラシを配設した正面図である。
【図６】同化粧料容器の使用説明図で、（ａ）は化粧料を塗布する際の状態を、（ｂ）は塗布した化粧料を仕上げる際の状態を示す正面図である。
【考案を実施するための形態】
【００１３】
以下、本考案の化粧料容器の実施の形態を、図面に基づいて説明する。
【実施例１】
【００１４】
図１〜図６に、本考案の化粧料容器の一実施例を示す。
この化粧料容器１は、液状の化粧料を収容するようにした容器本体１０と、容器本体１０の口部１０Ａに着脱可能に取り付けられる蓋体２と、蓋体２を容器本体１０の口部１０Ａに装着したときに容器本体１０内に収納される蓋体２に配設した化粧料塗布具３とを備え、蓋体２の化粧料塗布具３を備えた側の反対側に筒状部２０を形成するとともに、筒状部２０の口部２０Ａに着脱可能に取り付けられる嵌着部４１、４２を両側に形成した第２の蓋体４と、第２の蓋体４を一方の嵌着部４１を介して筒状部２０の口部２０Ａに装着したときに筒状部２０内に収納される第２の蓋体４に配設した第２の化粧料塗布具５とを備えるようにしている。
【００１５】
容器本体１０は、内部に液状の化粧料を収納する有底の筒状部材で、本実施例においては、口部１０Ａの外周部に雄ねじ部を形成している。
この雄ねじ部に、蓋体２の化粧料塗布具３を備えた側の端部の内側に形成した雌ねじ部が螺合され、容器本体１０内の化粧料が外部に漏れ出すことがないように密閉される。
なお、口部１０Ａの外周部に雌ねじ部、蓋体２の化粧料塗布具３を備えた側の端部の内側に雄ねじ部を形成するようにすることもできる。
【００１６】
容器本体１０の口部１０Ａには、蓋体２の化粧料塗布具３を容器本体１０から抜き出すときに、化粧料塗布具３に付着した余分な化粧料を払拭する払拭部１１を配設するようにしている。
この払拭部１１は、化粧料塗布具３を容器本体１０内に出し入れ可能となるように、その中心に孔を開口した弾性体で構成されている。
【００１７】
蓋体２は、化粧料塗布具３を備えた側に容器本体１０に装着するための装着部（本実施例においては、上述したように雌ねじ部）を形成し、その反対側に筒状部２０を形成するとともに、筒状部２０の口部２０Ａに第２の蓋体４を装着するための装着部２１を形成するようにしている。
この装着部２１は、第２の蓋体４が口部２０Ａに装着されるように構成するものであれば、特に限定するものではなく、本実施例においては、筒状部２０の口部２０Ａに端部側が小径となるように形成した段部の小径の端部側の周面に形成した突出部２１ａで構成するようにしている。
そして、この突出部２１ａに、後述する第２の蓋体の嵌着部４１、４２を嵌合させるようにしている。
【００１８】
蓋体２を上述した雄ねじ部と雌ねじ部との螺合によって容器本体１０の口部１０Ａに装着したときに、容器本体１０内に収納される化粧料塗布具３は、本実施例においては、両端を開放し筒状とした蓋体２内に嵌合する筒状部３０と、筒状部３０から延設される軸部３１及び軸部３１の先端に形成した塗布具部３２とから構成するようにしている。
このように、蓋体２と化粧料塗布具３とを別体とすることによって、化粧料容器１の製造業者が、化粧料容器１に充填する化粧料によって異なる化粧料塗布具３を配設する場合に、蓋体２を共通化し、製造コストの低廉化を図ることができる。
【００１９】
そして、本実施例においては、化粧料塗布具３の筒状部３０が、蓋体２の筒状部２０内に嵌合されることとなり、第２の化粧料塗布具５は、化粧料塗布具３の筒状部３０内に収納されることとなる。
なお、蓋体２を口部１０Ａに装着する側を底部とした有底の筒状とし、化粧料塗布具３を、蓋体２の口部１０Ａに装着する側から延びるように、蓋体２と一体的に形成することもできる。
【００２０】
蓋体２の筒状部２０の口部２０Ａに装着される第２の蓋体４は、図２に示すように、容器本体１０及び蓋体２と略同径で短尺の円筒形状で、正面視したときの断面形状が略Ｈ字状となるように空間部が形成されるとともに、第２の化粧料塗布具５を備えた一方（図例下側）と他方（図例上側）の両方に、嵌着部４１、４２を形成するようにしている。
そして、第２の化粧料塗布具５を備えた一方の嵌着部４１を介して蓋体２の筒状部２０の口部２０Ａに装着したときに、筒状部２０（化粧料塗布具３の筒状部３０）内に第２の化粧料塗布具５が収納されるようにする。
また、他方の嵌着部４２を介して蓋体２の筒状部２０の口部２０Ａに装着したときに、第２の化粧料塗布具５は露出した状態で、蓋体２（蓋体２を口部１０Ａに装着した容器本体１０）を持ち手として使用することができ、第２の蓋体４のみを持ち手として使用する場合に比べて、仕上げ用となる第２の化粧料塗布具が持ちやすく、かつ、使いやすいものとすることができる。
【００２１】
嵌着部４１、４２は、蓋体２の筒状部２０の口部２０Ａに装着される際に、容易に抜け落ちることのない構造であれば、特に限定するものではなく、本実施例においては、上述した口部２０Ａに形成された装着部２１の突出部２１ａに対して装着する際、対応する位置に、一方（図例下側）と他方（図例上側）の空間部の内周面に形成した突出部４１ａ、４２ａで構成される。
装着（嵌着）に際しては、突出部４１ａ又は突出部４２ａが、口部２０Ａに形成した装着部２１の突出部２１ａを乗り越えることで係合させるようにして、所定以上の力を加えない限り外れることがないようにしている。
また、突出部４２ａが突出部２１ａを乗り越えたところで、嵌着部４２側の端面４Ｂが口部２０Ａに形成した段部の大径側端面に当接するように構成されており第２の蓋体４は蓋体２の口部２０Ａに安定して装着される。
【００２２】
また、第２の化粧料塗布具５は、第２の蓋体４の嵌着部４１側に配設されるもので、本実施例においては、図２（ａ）に示すように、外周面に溝部５０ａを形成した円柱状の取付部５０と、この取付部５０から延設される軸部５１及び軸部５１の先端側に形成した塗布具部５２とから構成される。
そして、嵌着部４１側の空間の底面に筒状の受け部４３を形成し、この受け部４３の内周面に形成した突出部４３ａに、取付部５０の周面に形成した溝部５０ａを嵌合させることで、第２の蓋体４に第２の化粧料塗布具５を取り付けるようにしている。
これによって、図５に示すように、第２の化粧料塗布具５として、マスカラブラシ５Ａやリップブラシ５Ｂ等に取り替えることができる。
これは、使用者が同じ液状の化粧料を使用した際の仕上げ用の化粧料塗布具として、好みの第２の化粧料塗布具５を付け替えるように用いることができるほか、蓋体２と化粧料塗布具３とを別体とした場合と同様、化粧料容器１の製造業者が、化粧料容器１に充填する化粧料によって異なる第２の化粧料塗布具５を配設する場合に、第２の蓋体４を共通化し、製造コストの低廉化を図ることができるものである。
なお、第２の化粧料塗布具５は、第２の蓋体４と一体的に形成することもできる。
【００２３】
また、第２の蓋体４の一方の嵌着部４１の断面積（本実施例において、当該断面積は、蓋体２の断面積より若干大きく形成するようにしている。）より、他方の嵌着部４２の断面積を大きく、かつ、他方の嵌着部４２の端面４Ｂを接地可能な平坦面に形成するようにしている。
ここで、嵌着部４１、４２の断面積は、嵌着部４１、４２を構成する突出部４１ａ、４２ａを形成するための空間部を含むもので、具体的には、円筒形状である第２の蓋体４の端面４Ａ、４Ｂの外径Ｄ１、Ｄ２を直径とする円の面積である。
本実施例においては、外径Ｄ１より外径Ｄ２を１．２〜１．４倍程度として、断面積としては、１．４〜２倍程度となるようにしている。
なお、第２の蓋体４の他方の嵌着部４２の端面４Ｂは、平坦面に形成するほか、例えば、少なくとも３点以上の接地点がほぼ同一平面上に位置するようにすることにより接地可能にすることもできる。
これにより、第２の蓋体４を一方の嵌着部４１を介して筒状部２０の口部２０Ａに装着した状態のときに（未使用の状態のときに）、第２の蓋体４の他方の嵌着部４２の端面を卓上に接地するようにすることによって、化粧料容器１を安定して倒立させることができ、化粧料容器１が倒れたり、化粧品を置く化粧台から化粧料容器１が転げ落ちることがなく、また、化粧台の上を綺麗に整理することができる。
【００２４】
次に、この化粧料容器１の容器本体１０に収容された液状の化粧料を使用する手順を説明する。
まず、容器本体１０から化粧料塗布具３の塗布具部３２に化粧料を付着させた状態で、第２の蓋体４が装着され第２の化粧料塗布具５が筒状部２０内に収納された状態の蓋体２を抜き出す（図６（ａ）参照）。
化粧料がマスカラの場合には、睫毛に所定量を塗布し、蓋体２を容器本体１０に装着し、容器本体１０内に化粧料塗布具３を収納する。
【００２５】
次いで、蓋体２の筒状部２０の口部２０Ａから第２の蓋体４を取り外し、反転させ、嵌着部４２を口部２０Ａの装着部２１に装着する（図６（ｂ）参照）。
そして、容器本体１０、蓋体２及び第２の蓋体４を持ち手として、第２の化粧料塗布具５を用いて睫毛に塗布したマスカラの塗布状態の仕上げ作業を行う。
この仕上げ作業に際して、本考案の化粧料容器１は、容器本体１０、蓋体２及び第２の蓋体４を持ち手とすることができ、仕上げ用となる第２の化粧料塗布具が持ちやすく、かつ、使いやすいものとすることができる。
【００２６】
そして、化粧料容器１が未使用のときには、第２の蓋体４を一方の嵌着部４１を介して筒状部２０の口部２０Ａに装着し、第２の蓋体４の他方の嵌着部４２の端面を卓上に接地するようにすることによって、化粧料容器１を安定して倒立させることができ、化粧料容器１が倒れたり、化粧品を置く化粧台から化粧料容器１が転げ落ちることがなく、また、化粧台の上を綺麗に整理することができる。
【００２７】
以上、本考案の化粧料容器について、その実施例に基づいて説明したが、本考案は上記実施例に記載した構成に限定されるものではなく、その趣旨を逸脱しない範囲において適宜その構成を変更することができるものである。
【産業上の利用可能性】
【００２８】
本考案の化粧料容器は、仕上げ用の化粧料塗布具を備えた化粧料容器であっても、化粧料容器全体のサイズをコンパクトに収め、かつ、仕上げ用化粧料塗布具の操作性を向上させることができるという特性を有していることから、マスカラやグロス等、種々の液状の化粧料の容器としての用途に好適に用いることができる。
【符号の説明】
【００２９】
１    化粧料容器
１０  容器本体
１０Ａ  口部
２    蓋体
２０  筒状部
２０Ａ  口部
３    化粧料塗布具
４    第２の蓋体
４１  嵌着部
４２  嵌着部
４Ｂ  端面
５    第２の化粧料塗布具
【図１】
0003175646.tif 000003
【図２】
0003175646.tif 000004
【図３】
0003175646.tif 000005
【図４】
0003175646.tif 000006
【図５】
0003175646.tif 000007
【図６】
0003175646.tif 000008